(57)【要約】【課題】認証操作を行うためのキーを装置本体に備える必要がなく、且つ認証操作にリモコンを用いる必要もないプロジェクターを提供する。【解決手段】制御手段２０は、数値設定手段２６により、第２認証コードを生成し（ステップＳ１０３）て、認証手段２０３は第２認証コードと第１認証コード２１２とが一致するか認証を行い（ステップＳ１０４）、認証が成功したら（ステップＳ１０４：Ｙ）、数値設定手段２６により設定される補正量に基づく台形歪補正を実行する（ステップＳ１１０）。【選択図】図８
2015138221.tif 000002
【特許請求の範囲】
【請求項１】
光源と、前記光源から射出された光を画像データに応じて変調し、投写面に投写する画像投写手段と、これらを収容する筐体とを有するプロジェクターであって、
前記筐体の外面に備えられ、操作部を移動させて所定の設定位置を指し示すことで、所定範囲の数値を設定する数値設定手段と、
前記数値設定手段により、前記投写面に投写された投写画像の台形歪を補正する補正量を設定する補正量設定手段と、
前記補正量に基づき、前記投写画像の台形歪を補正する台形歪補正手段と、
当該プロジェクターを使用可能にするための第１認証コードを記憶する記憶手段と、
前記数値設定手段により、第２認証コードを生成する第２認証コード生成手段と、
前記第１認証コードと前記第２認証コードとが一致するかを調べることにより、当該プロジェクターを使用するための認証を行う認証手段と、
当該プロジェクターが電源オンするときに前記認証を行い、前記認証が成功したときに当該プロジェクターを使用可能にする制御手段と、
を備えたことを特徴とするプロジェクター。
【請求項２】
請求項１に記載のプロジェクターであって、
当該プロジェクターが最後に使用されたときの前記補正量を補正量保存値として保存する記憶手段をさらに備え、
前記制御手段は、前記認証が成功したとき、前記数値設定手段の設定位置に基づく前記補正量が前記補正量保存値と異なる場合に、前記補正量保存値を知らせる通知画面を表示することを特徴とするプロジェクター。
【請求項３】
請求項２に記載のプロジェクターであって、
前記制御手段は、前記通知画面の表示後、前記数値設定手段の設定位置に基づく前記補正量が前記補正量保存値と同じになったときに、前記台形歪補正手段により前記台形歪の補正を実行させることを特徴とするプロジェクター。
【請求項４】
光源と、前記光源から射出された光を画像データに応じて変調し、投写面に投写する画像投写手段と、これらを収容する筐体と、
前記筐体の外面に備えられ、操作部を移動させて所定の設定位置を指し示すことで、所定範囲の数値を設定する数値設定手段と、
プロジェクターを使用可能にするための第１認証コードを記憶する記憶手段と、
を備えたプロジェクターの制御方法であって、
前記数値設定手段により、第２認証コードを生成する第２認証コード生成ステップと、
当該プロジェクターが電源オンするときに、前記第１認証コードと前記第２認証コードとが一致するかを調べることにより、当該プロジェクターを使用するための認証を行う認証ステップと、
前記認証が成功した後、前記数値設定手段により、前記投写面に投写された投写画像の台形歪を補正する補正量を設定する補正量設定ステップと、
前記補正量に基づき、前記投写画像の台形歪を補正する台形歪補正ステップと、
を有することを特徴とするプロジェクターの制御方法。
【発明の詳細な説明】
【技術分野】
【０００１】
本発明は、画像を投写するプロジェクター、およびプロジェクターの制御方法に関する。
【背景技術】
【０００２】
画像を投写するプロジェクターにおいて、第三者による不正使用を防止するために、所定の認証操作（例えば、暗証番号の入力操作等）が行われた場合にのみ使用可能となるプロジェクターが広く使われている。このようなプロジェクターでは、暗証番号を入力するための数字キー（テンキー）等、認証操作を行うための操作キーを装置本体、またはリモコン（リモートコントローラー）に備える必要がある。
【０００３】
しかしながら、認証操作用に多数の操作キーを装置本体に備えることは、装置本体の美観を損ねてしまい、またコストアップになるという問題を有している。また、少数の操作キーで認証操作を行う構成にした場合でも、一回の認証操作に必要な操作の回数が増えてしまい、利便性が低下してしまう。一方、認証操作用の操作キーをリモコンのみに備える場合には、リモコンが故障したり紛失したりした際にプロジェクターが使用できなくなってしまううえ、プロジェクターとともに常にリモコンも携帯しなければならなくなるため利便性が損なわれてしまうという問題があった。
【０００４】
特許文献１には、プロジェクターの投写系のカバーをスライド移動させることで暗証番号を入力するプロジェクターが提案されている。このプロジェクターによれば、装置本体に多数の認証用のキーを搭載する必要がない。
【先行技術文献】
【特許文献】
【０００５】
【特許文献１】特開２０１０−１１７４０１号公報
【発明の概要】
【発明が解決しようとする課題】
【０００６】
しかしながら、特許文献１のプロジェクターでは、投写系のカバーに認証操作専用のスイッチ機能を持たせるため、コストアップになってしまうという問題があった。
このため、認証操作を行うための専用のキーを装置本体に備える必要がなく、且つ認証操作にリモコンを用いる必要もないプロジェクターが求められていた。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源と、前記光源から射出された光を画像データに応じて変調し、投写面に投写する画像投写手段と、これらを収容する筐体とを有するプロジェクターであって、前記筐体の外面に備えられ、操作部を移動させて所定の設定位置を指し示すことで、所定範囲の数値を設定する数値設定手段と、前記数値設定手段により、前記投写面に投写された投写画像の台形歪を補正する補正量を設定する補正量設定手段と、前記補正量に基づき、前記投写画像の台形歪を補正する台形歪補正手段と、当該プロジェクターを使用可能にするための第１認証コードを記憶する記憶手段と、前記数値設定手段により、第２認証コードを生成する第２認証コード生成手段と、前記第１認証コードと前記第２認証コードとが一致するかを調べることにより、当該プロジェクターを使用するための認証を行う認証手段と、当該プロジェクターが電源オンするときに前記認証を行い、前記認証が成功したときに当該プロジェクターを使用可能にする制御手段と、を備えたことを特徴とする。
【０００９】
本適用例によれば、プロジェクターの筐体に備えられた数値設定手段により、台形歪補正の補正量の設定と、認証のための第２認証コードの生成を行う。つまり、認証操作のための操作キーと、台形歪補正のための操作キーを兼用するため、装置本体に認証操作専用のキーを備える必要がなく、コストアップを防止することが可能となる。また認証操作にリモコンを用いる必要もないため利便性が向上する。
【００１０】
［適用例２］上記適用例に記載のプロジェクターにおいて、当該プロジェクターが最後に使用されたときの前記補正量を補正量保存値として保存する記憶手段をさらに備え、前記制御手段は、前記認証が成功したとき、前記数値設定手段の設定位置に基づく前記補正量が前記補正量保存値と異なる場合に、前記補正量保存値を知らせる通知画面を表示することが好ましい。
【００１１】
本適用例によれば、認証が成功したとき、最後に使用されたときの台形歪補正量を設定するための数値設定手段の設定位置を通知画面で知らせるので、数値設定手段の設定位置を容易に元の位置に戻すことができる。
【００１２】
［適用例３］上記適用例に記載のプロジェクターにおいて、前記制御手段は、前記通知画面の表示後、前記数値設定手段の設定位置に基づく前記補正量が前記補正量保存値と同じになったときに、前記台形歪補正手段により前記台形歪の補正を実行させることが好ましい。
【００１３】
本適用例によれば、数値設定手段の設定位置を、プロジェクターを最後に使用した時の位置に戻した後、台形歪補正を実行させることができる。
【００１４】
［適用例４］本適用例に係るプロジェクターの制御方法は、光源と、前記光源から射出された光を画像データに応じて変調し、投写面に投写する画像投写手段と、これらを収容する筐体と、前記筐体の外面に備えられ、操作部を移動させて所定の設定位置を指し示すことで、所定範囲の数値を設定する数値設定手段と、プロジェクターを使用可能にするための第１認証コードを記憶する記憶手段と、を備えたプロジェクターの制御方法であって、前記数値設定手段により、第２認証コードを生成する第２認証コード生成ステップと、当該プロジェクターが電源オンするときに、前記第１認証コードと前記第２認証コードとが一致するかを調べることにより、当該プロジェクターを使用するための認証を行う認証ステップと、前記認証が成功した後、前記数値設定手段により、前記投写面に投写された投写画像の台形歪を補正する補正量を設定する補正量設定ステップと、前記補正量に基づき、前記投写画像の台形歪を補正する台形歪補正ステップと、を有することを特徴とする。
【００１５】
本適用例によれば、プロジェクターの筐体に備えられた数値設定手段により、台形歪補正の補正量の設定と、認証のための第２認証コードの生成を行う。つまり、認証操作のための操作キーと、台形歪補正のための操作キーを兼用するため、装置本体に認証操作専用のキーが必要なく、コストアップを防止することが可能となる。また、認証が成功した後で台形歪補正を実行させるので、プロジェクターの不正使用を防止することが可能となる。
【図面の簡単な説明】
【００１６】
【図１】実施形態に係るプロジェクターの外観斜視図。
【図２】実施形態に係るプロジェクターの平面図。
【図３】第２認証コードの入力操作を示す図。
【図４】実施形態に係るプロジェクターの回路構成を示すブロック図。
【図５】液晶ライトバルブを光入射面側から見た正面図。
【図６】台形歪を説明するための図であり、（ａ）は、液晶ライトバルブを光入射面側から見た正面図、（ｂ）は、プロジェクターがスクリーンに垂直に投写する様子を示す上面図、（ｃ）は、スクリーンの投写画像を示す正面図、（ｄ）は、プロジェクターであおり投写をする様子を示す上面図、（ｅ）は、スクリーンの投写画像を示す正面図。
【図７】台形歪補正を説明するための説明図であり、（ａ）は、液晶ライトバルブを光入射面側から見た正面図、（ｂ）は、あおり投写を行う場合の投写画像を示す正面図。
【図８】プロジェクターが電源オンするときの動作を示すフローチャート。
【図９】プロジェクターが動作中に数値設定手段の設定位置の変化を検出したときの動作を示すフローチャート。
【図１０】通知画面を示す図。
【発明を実施するための形態】
【００１７】
以下、図面を参照して本発明の一実施形態であるプロジェクターについて説明する。
なお、以下の実施形態は特許請求の範囲にかかる発明を限定するものではなく、また、実施形態における特徴の組み合わせの全てが発明の解決手段に必須であるとは限らない。
【００１８】
（実施形態）
図１は、本実施形態のプロジェクター１の外観斜視図であり、斜め前方から見た図である。なお、本実施形態では、画像を投写する方向を前方として説明する。
【００１９】
図１に示すように、プロジェクター１は、上面２ｔ、前面２ｆなどを有する概直方体形状の筐体２により装置本体が覆われた構成になっている。筐体２の上面２ｔには、複数の操作キーから構成され、プロジェクター１に各種指示を行うための操作パネル２３、スライド式の数値設定手段２６、プロジェクター１の動作状態を報知する報知手段２８などが備えられている。
筐体２の前面２ｆには前方に向かって画像光を投写する投写レンズ１３が備えられている。
【００２０】
図２は、プロジェクター１の平面図であり、数値設定手段２６の周辺の部位を部分的に示している。
図２に示すように、筐体２の上面２ｔにはスリット２６ｂが筐体２の前面２ｆと略平行に形成されており、操作部としてのツマミ２６ａがスリット２６ｂ上をスライド移動可能になっている。
【００２１】
スリット２６ｂに近接する部位には、スリット２６ｂの長手方向に沿って、即ち、ツマミ２６ａの移動方向に沿って、「０」〜「９」の数字が表記された１０個の目盛が付されており、各目盛の間にはそれぞれ４個の補助目盛が付されている。ツマミ２６ａの上部には、目盛が付されている側を指し示す三角状の指示マークＭ１が付されている。そして、ツマミ２６ａをスリット２６ｂ上で移動させて、その位置を変化させることにより、指示マークＭ１が指し示す目盛（数字）を任意に切り替えることができる。図２の例では、０〜９まで０．２毎に４６段階の数値を設定することができる。
【００２２】
数値設定手段２６が設定する数値は、台形歪補正手段１５（図４参照）が台形歪補正を実行するための補正量として使用される。また、認証手段２０３（図４参照）が認証を行うための第２認証コードを生成するためにも使用される。認証手段２０３として使用される場合には、指示マークＭ１が数字の書かれた目盛を指し示す位置にある数値を設定し、小数点以下の数字は四捨五入して除き、整数部分を使用する。
【００２３】
図３は、数値設定手段２６により第２認証コードを入力する様子を示す図である。
図３に示すように、数値設定手段２６のツマミ２６ａをスリット２６ｂに沿って移動させ、指示マークＭ１を目盛上の数値に合わせた後、操作パネル２３の決定キー（図示せず）を操作することで数字を１文字入力する。図３の例では、「４」、「０」、「８」、「２」の順に数字を選択し、４桁の第２認証コード「４０８２」を入力している様子を示す。なお、第２認証コードは４桁に限らず、これより多い、または少ない桁数でも良い。
【００２４】
図４は、本実施形態のプロジェクター１の回路構成を示すブロック図である。
図４に示すように、プロジェクター１は、画像入力端子６、画像投写手段１０、台形歪補正手段１５、ＯＳＤ処理手段１６、画像信号処理手段１７、画像信号入力手段１８、制御手段２０、記憶手段２１、光源制御手段２２、操作パネル２３、操作信号受信手段２４、リモコン２５、数値設定手段２６、報知手段２８、電源端子３０、電源部３１等で構成されており、これらは、プロジェクター１の筐体２（図１参照）の内部、または外面に収容されている。
【００２５】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００２６】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２７】
図５は、液晶ライトバルブ１２Ｒ，１２Ｇ，１２Ｂを光入射面側から見た図である。液晶ライトバルブ１２Ｒ，１２Ｇ，１２Ｂは、一対の透明基板間に液晶が封入された液晶パネル等によって構成される。図５に示すように、液晶ライトバルブ１２Ｒ，１２Ｇ，１２Ｂの各透明基板は、矩形の領域（画素領域１２ａ）内において、複数の微小領域（画素１２ｐ）毎に、駆動電圧を印加可能な透明電極（画素電極）が、マトリックス状に形成されている。
【００２８】
液晶駆動手段１４が、入力される画像情報に応じた駆動電圧を各画素１２ｐに印加すると、各画素１２ｐは、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって対応する画素１２ｐ毎に合成されてカラーの画像光となった後、投写レンズ１３によってスクリーンＳＣ等に拡大投写され投写画像となる。
【００２９】
本実施形態では、光源１１として光源ランプ１１ａを用いて投写するプロジェクター１を例示したが、本発明は、光源としてＬＥＤ（Light emitting diode）光源やレーザー光源等を用いて投写するプロジェクターにも適用することができる。
【００３０】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）等、他の表示方式の光変調装置を採用しても良い。
【００３１】
図４に戻り、画像信号入力手段１８は、複数の画像入力端子６より、ビデオ再生装置やパーソナルコンピューター等、外部の画像出力装置から、図示しないケーブル、又は通信機器等を介して画像情報が入力される。入力された画像情報は、制御手段２０の指示に基づき、画像信号処理手段１７に出力される。なお、画像信号入力手段１８は、無線通信や光通信等の受信部を備え、外部機器から無線によって画像信号を入力する構成にしてもよい。
【００３２】
画像信号処理手段１７は、制御手段２０の指示に基づき、画像信号入力手段１８から入力される画像情報を、液晶ライトバルブ１２Ｒ，１２Ｇ，１２Ｂの各画素１２ｐの階調を表す画像情報に変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素１２ｐに対応する複数の画素値によって構成されている。画素値とは、対応する画素１２ｐの光透過率を定めるものであり、この画素値によって、各画素１２ｐを透過し射出する光の強弱（階調）が規定される。
【００３３】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３４】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、台形歪補正手段１５に出力される。
なお、制御手段２０からＯＳＤ画像を重畳する旨の指示がない場合には、ＯＳＤ処理手段１６は、画像信号処理手段１７から入力される画像情報を、そのまま台形歪補正手段１５に出力する。
【００３５】
数値設定手段２６は、多段階に数値を設定するスイッチであり、機械式または光学式などで構成される。数値設定手段２６は、図２に示すように、所定範囲の数値を設定し、プロジェクター１を使用可能にする認証を行うための第２認証コードを生成する。また、数値設定手段２６により設定された数値は、台形歪補正を台形歪補正手段１５に実行させるための補正量としても使用される。設定された数値は制御手段２０に通知される。
【００３６】
報知手段２８は、ＬＥＤやブザーなどから構成され、プロジェクター１の各種動作状態を報知する。報知手段２８が行う報知としては、電源オン時に認証操作を求める認証入力報知、認証が成功したことを示す認証成功報知、認証が失敗したことを示す認証失敗報知などがある。報知の方法としては、異なるＬＥＤの点灯色、点滅パターン、ブザー音の鳴動パターンなどがある。
【００３７】
台形歪補正手段１５は、スクリーンＳＣに対してプロジェクター１を傾けた状態で画像を投写（あおり投写）する場合に、投写画像が傾斜方向（あおり方向）に拡大してしまう歪（台形歪）を抑制するために、入力される画像情報としての画像データの補正（台形歪補正）を行う。
制御手段２０は、数値設定手段２６により設定される補正量に基づいて、台形歪補正手段１５に対して台形歪補正の実施を指示し、台形歪補正手段１５は台形歪補正を実施する。
【００３８】
台形歪補正とは、画像データから画素値の間引きを行って、傾斜方向に向かうほど投写画像を縮小させるものであり、台形歪補正手段１５は、補正後の画像データを液晶駆動手段１４に出力する。なお、台形歪補正を行わない場合には、ＯＳＤ処理手段１６から出力された画像データが、そのまま台形歪補正手段１５より液晶駆動手段１４に出力される。
【００３９】
液晶駆動手段１４が、入力された画像データ、即ち画素１２ｐ毎の画素値に従って液晶ライトバルブ１２Ｒ，１２Ｇ，１２Ｂを駆動すると、画像データに応じた投写画像がスクリーンＳＣに投写される。
【００４０】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００４１】
制御手段２０は、補正量設定手段２０１と、第２認証コード生成手段２０２と、認証手段２０３とを含む。
補正量設定手段２０１は、数値設定手段２６の設置位置に基づき、台形歪補正を行うための補正量を設定する。設定された補正量は記憶手段２１に補正量保存値２１１として記憶される。
第２認証コード生成手段２０２は、数値設定手段２６の設定位置に基づき、複数桁の数字から構成される第２認証コードを生成する。
認証手段２０３は、第２認証コードと、記憶手段２１に記憶される第１認証コード２１２とが一致するかを調べることで、プロジェクター１を使用可能にするための認証を行う。
【００４２】
記憶手段２１は、フラッシュメモリーやＦｅＲＡＭ等の書き換え可能な不揮発性のメモリーにより構成されており、プロジェクター１の動作を制御するための制御プログラムや、プロジェクター１の動作条件等を規定する各種設定データ等が記憶されている。
【００４３】
記憶手段２１は、台形歪補正の補正量保存値２１１と、第１認証コード２１２を記憶する。
補正量保存値２１１には、台形歪補正手段１５が補正するときに使用した補正量が保存される。つまり、電源オン時には、最後にプロジェクター１を使用したときの補正量が保存される。
また、第１認証コード２１２は、プロジェクター１を使用可能にするための認証に用いられるもので、予め設定された数値が保存されている。
【００４４】
光源制御手段２２は、制御手段２０の指示に基づいて、光源１１に対する電力の供給と停止とを制御し、光源１１の点灯および消灯を切り替える。
【００４５】
操作パネル２３およびリモコン２５は、プロジェクター１に対して各種指示を行うための入力操作手段に相当するものであり、図示は省略するが、ユーザーがプロジェクター１に対して各種指示を行うための複数の操作キーを備えている。操作パネル２３、およびリモコン２５が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー、等がある。なお、決定キーは、数値設定手段２６のツマミ２６ａとともに、第２認証コードの数値を入力するためにも使用される。
【００４６】
ユーザーが操作パネル２３の各種操作キーを操作すると、操作パネル２３は、ユーザーの操作内容に応じた操作信号を制御手段２０に出力する。また、ユーザーがリモコン２５の各種操作キーを操作すると、リモコン２５は、ユーザーの操作内容に応じた赤外線等の操作信号を発し、操作信号受信手段２４がこれを受信して制御手段２０に伝達する。
【００４７】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に変換した電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４８】
次に、本実施形態の台形歪補正について、図６を用いて説明する。
図６は、台形歪を説明するための図であり、画像データに対して台形歪補正を施していない状態を示す図である。ここで、図６（ａ）は、液晶ライトバルブ１２Ｒ，１２Ｇ，１２Ｂを光入射面側から見た正面図であり、図６（ｂ）は、プロジェクター１がスクリーンに対し垂直方向に投写を行う様子を示す上面図、図６（ｃ）は、そのときにスクリーンＳＣに表示される投写画像を示す正面図である。また、図６（ｄ）は、プロジェクター１を右方向に傾けた状態で投写（あおり投写）する様子を示す上面図であり、図６（ｅ）は、そのときにスクリーンＳＣに表示される投写画像を示す正面図である。
【００４９】
なお、図６（ａ）において、液晶ライトバルブ１２Ｒ，１２Ｇ，１２Ｂに向かって左右方向（水平方向の左右）を±ｘ方向、上下方向（垂直方向の上下）を±ｙ方向とし、図６（ｃ）および（ｅ）において、スクリーンＳＣに向かって左右方向（水平方向の左右）を±Ｘ方向、上下方向（垂直方向の上下）を±Ｙ方向とする。また図６（ｂ）および（ｄ）において、プロジェクター１よりスクリーンに投写する方向を±Ｚ方向とする。ここで、スクリーンＳＣのＸ方向、およびＹ方向は、それぞれ液晶ライトバルブ１２Ｒ，１２Ｇ，１２Ｂのｘ方向、およびｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００５０】
図７は、本実施形態の台形歪補正を説明するための説明図であり、図７（ａ）は、液晶ライトバルブ１２Ｒ，１２Ｇ，１２Ｂを光入射面側から見た正面図、図７（ｂ）は、あおり投写を行う場合にスクリーンＳＣに表示される投写画像を示す正面図である。
【００５１】
また、図６および図７において、画素領域１２ａ内や投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００５２】
図６（ａ）に示すように、台形歪補正を行わない場合には、液晶ライトバルブ１２Ｒ，１２Ｇ，１２Ｂは、台形歪補正手段１５から入力される画像データに基づいた画像（入力画像Ｇｉ）を画素領域１２ａの全体で形成する。つまり、この場合には、入力画像Ｇｉを形成するための領域（画像形成領域１２ｉ）は、画素領域１２ａと一致する。ここで、図６（ｂ），（ｃ）に示すように、プロジェクター１がスクリーンに対して垂直に設置され、スクリーンＳＣに対して傾きのない投写を行う場合には、スクリーンＳＣに表示される投写画像Ｇａ（入力画像Ｇｉ）は、画素領域１２ａと同じ矩形状となる。
【００５３】
一方、図６（ｄ），（ｅ）に示すように、プロジェクター１が、スクリーンＳＣの投写面に対して水平方向に傾くように設置され、右方（＋Ｘ方向）に向けてあおり投写を行う場合には、スクリーンＳＣに表示される投写画像Ｇａは、傾斜方向（＋Ｘ方向）に向かうほど、±Ｙ方向および＋Ｘ方向に拡大されて台形状に歪む。本実施形態では、このように＋Ｘ方向（水平方向）のあおり投写を行った場合の台形歪補正について記載する。
【００５４】
台形歪補正手段１５は、ＯＳＤ処理手段１６から入力される画像データから画素値の間引きを行い、補正を行わない場合に比べて、投写画像Ｇａが傾斜方向（＋Ｘ方向）に向かうほど縮小するような補正を施す。
【００５５】
具体的には、図７（ａ）に示すように、液晶ライトバルブ１２Ｒ，１２Ｇ，１２Ｂの画素領域１２ａに、補正を行わない投写画像Ｇａと反対向きの台形形状、即ち傾斜方向（＋ｘ方向）に向かうほど高さ（±ｙ方向の幅）が縮小する形状の画像形成領域１２ｉを設定する。
さらに、画像データから、あおり投写による拡大の程度が高い位置ほど多くの画素値を間引くことにより、この画像形成領域１２ｉ内に入力画像Ｇｉを形成する。また、補正後の投写画像Ｇａのアスペクト比が補正を行わない投写画像Ｇａと同じになるように画像形成領域１２ｉを水平方向（±ｘ方向）に縮小する。
また、台形歪補正手段１５は、画像形成領域１２ｉの外側の領域１２ｎに含まれる各画素１２ｐの光透過率が最小となるように画像データを補正する。
【００５６】
この結果、図７（ｂ）に示すように、あおり投写による入力画像Ｇｉのゆがみが補正されるとともに、領域１２ｎに対応する投写画像Ｇａ内の領域Ｇｎには光がほとんど照射されないことから、入力画像Ｇｉは、図６（ｃ）の入力画像Ｇｉと同様に矩形状でスクリーンＳＣに表示される。なお、画素値の間引きに伴う階調情報の欠落を補うために、間引きの対象となる画素に近接する画素の画素値を、間引かれる画素値に応じて補正することが望ましい。
【００５７】
次に、本実施形態のプロジェクター１の動作を図８、および図９のフローチャートを用いて説明する。図８は、プロジェクター１が電源オンするときの動作を示すフローチャートであり、図９は、プロジェクター１が動作中に数値設定手段２６の設定位置の変化を検出したときの動作を示すフローチャートである。
【００５８】
［電源オン時の動作］
図８に示すように、プロジェクター１が操作パネル２３、およびリモコン２５の電源キーなどにより、電源オンすると（ステップＳ１０１）、制御手段２０は、報知手段２８により認証入力報知をさせ（ステップＳ１０２）、ステップＳ１０３に遷移する。なお、この時点では光源１１は点灯していない。
【００５９】
ステップＳ１０３において第２認証コード生成手段２０２は、数値設定手段２６の操作により第２認証コードを生成する。具体的には、図３で示したように、数値設定手段２６のツマミ２６ａをスライド移動させた後に操作パネル２３の決定キーを操作し、数字を確定する操作を繰り返すことで、第２認証コードを生成する。次にステップＳ１０４に遷移する。なお、ステップＳ１０３が第２認証コード生成ステップに相当する。
【００６０】
ステップＳ１０４において認証手段２０３は、記憶手段２１に記憶される第１認証コード２１２と、第２認証コードとが一致するか否かの認証を行う。認証が成功した場合（ステップＳ１０４：Ｙ）には、ステップＳ１０５に遷移する。認証が失敗した場合（ステップＳ１０４：Ｎ）には、ステップＳ１１１に遷移する。なお、ステップＳ１０４が認証ステップに相当する。
【００６１】
ステップＳ１０５において制御手段２０は、報知手段２８に認証成功報知をさせ、ステップＳ１０６に遷移する。
【００６２】
ステップＳ１０６において制御手段２０は、光源制御手段２２により光源１１を点灯させ、ステップＳ１０７に遷移する。
【００６３】
ステップＳ１０７において制御手段２０は、記憶手段２１の補正量保存値２１１を通知する通知画面Ｇ１を画像投写手段１０に投写させる。図１０に、通知画面Ｇ１を示す。図１０に示すように、数値設定手段２６の設定位置（６．２）を示す画面が表示される。次にステップＳ１０８に遷移する。
【００６４】
ステップＳ１０８において、補正量設定手段２０１は、数値設定手段２６の設定位置に基づく補正量を取得し、ステップＳ１０９に遷移する。なお、ステップＳ１０８が補正量設定ステップに相当する。
【００６５】
ステップＳ１０９において制御手段２０は、ステップＳ１０８において取得した補正量と補正量保存値２１１とが同じか否か調べる。補正量が補正量保存値２１１と同じ場合（ステップＳ１０９：Ｙ）にはステップＳ１１０に遷移する。補正量が補正量保存値２１１と異なる場合（ステップＳ１０９：Ｎ）には、ステップＳ１０８，Ｓ１０９を繰り返す。
【００６６】
ステップＳ１１０において制御手段２０は、ステップＳ１０８において取得した補正量に基づき、台形歪補正手段１５に台形歪補正を実行させ、ステップＳ１２０に遷移する。なお、ステップＳ１１０が台形歪補正ステップに相当する。
【００６７】
ステップＳ１１１において制御手段２０は、報知手段２８に認証失敗報知をさせ、ステップＳ１１２に遷移する。
【００６８】
ステップＳ１１２において制御手段２０は、プロジェクター１をスタンバイ状態に移行させ、本動作フローを終了させる。
【００６９】
ステップＳ１２０において制御手段２０は、通知画面Ｇ１を消去して画像入力端子６より入力される画像信号に基づく画像を画像投写手段１０に投写開始させ、本動作フローを終了させる。
【００７０】
［動作中に数値設定手段の設定位置が変更されたことを検出したときの動作］
図９に示すように、プロジェクター１が動作中に数値設定手段２６の設定位置が変化したことを検出した場合（ステップＳ２０１）、ステップＳ２０２に遷移する。
【００７１】
ステップＳ２０２において補正量設定手段２０１は、数値設定手段２６の設定位置に基づく、台形歪補正の補正量を取得し、ステップＳ２０３に遷移する。なお、ステップＳ２０２が補正量設定ステップに相当する。
【００７２】
ステップＳ２０３において制御手段２０は、ステップＳ２０２において取得した補正量に基づき、台形歪補正手段１５に台形歪補正を実行させ、ステップＳ２０４に遷移する。なお、ステップＳ２０３が台形歪補正ステップに相当する。
【００７３】
ステップＳ２０４において制御手段２０は、ステップＳ２０２において取得した補正量を記憶手段２１の補正量保存値２１１として保存し、ステップＳ２０５に遷移する。
【００７４】
ステップＳ２０５において本動作フローを終了し、元の処理に戻る。
【００７５】
上述した実施形態によれば、以下の効果を得られる。
本実施形態のプロジェクター１によれば、プロジェクター１の筐体２に備えられた数値設定手段２６により、台形歪補正の補正量の設定と、認証のための第２認証コードの生成を行う。つまり、認証操作のための操作キーと、台形歪補正のための操作キーを兼用するため、プロジェクター１の筐体２に認証操作専用のキーを備える必要がなく、コストアップを防止することが可能となる。
【００７６】
また、認証操作にリモコンを用いる必要がないため利便性が向上する。
【００７７】
また、認証が成功したとき、プロジェクター１が最後に使用されたときの台形歪補正の補正量を設定するための数値設定手段２６の設定位置を通知画面Ｇ１で知らせるので、数値設定手段２６の設定位置を容易に元の位置に戻すことができる。
【００７８】
また、数値設定手段２６の設定位置を、プロジェクター１を最後に使用した時の位置に戻した後、台形歪補正を実行させることができる。
【００７９】
また、認証が成功した後で台形歪補正を実行させることができるので、プロジェクター１の不正使用を防止することが可能となる。
【００８０】
また、本実施形態は、以下のように変更してもよい。
（変形例１）
上記実施形態において、数値設定手段２６は、ダイヤル式のツマミを回すことにより数値を設定する構成にしてもよい。
【００８１】
（変形例２）
上記実施形態において、第２認証コードを生成するとき、数値設定手段２６により、数字を１文字決定するたびに、報知手段２８により応答報知させるようにしてもよい。これにより、数値設定手段２６の操作による数値が確実に入力されたかを確認することができる。
【符号の説明】
【００８２】
１…プロジェクター、２…筐体、６…画像入力端子、１０…画像投写手段、１１…光源、１２Ｒ，１２Ｇ，１２Ｂ…液晶ライトバルブ、１３…投写レンズ、１４…液晶駆動手段、１５…台形歪補正手段、１６…ＯＳＤ処理手段、１７…画像信号処理手段、１８…画像信号入力手段、２０…制御手段、２０１…補正量設定手段、２０２…第２認証コード生成手段、２０３…認証手段、２１…記憶手段、２１１…補正量保存値、２１２…第１認証コード、２２…光源制御手段、２３…操作パネル、２４…操作信号受信手段、２５…リモートコントローラー（リモコン）、２６…数値設定手段、２８…報知手段、３０…電源端子、３１…電源部。
【図１】
2015138221.tif 000003
【図２】
2015138221.tif 000004
【図３】
2015138221.tif 000005
【図４】
2015138221.tif 000006
【図５】
2015138221.tif 000007
【図６】
2015138221.tif 000008
【図７】
2015138221.tif 000009
【図８】
2015138221.tif 000010
【図９】
2015138221.tif 000011
【図１０】
2015138221.tif 000012